(57)【要約】【課題】モータが回転駆動される際に、モータの振動が水槽あるいは回転ドラムに伝達することで騒音が発生することを防止し、また、モータがベルト張力により傾くことで騒音が発生することを防止する洗濯機を実現する。【解決手段】筐体と、洗濯物を投入する回転ドラムと、前記回転ドラムを収容しかつ前記筐体から弾性支持機構により支持された水槽と、前記水槽の外底部に緩衝材を介して固定したモータと、洗浄工程、すすぎ工程、脱水工程、乾燥工程などの一連の工程の制御および前記モータの回転を制御する制御手段と、前記モータのモータ軸に緩衝材を介して固定されたモータプーリと、前記水槽に回転自在に支持され、前記回転ドラムが一端に固定され、他端に従動プーリが固定された回転軸と、前記モータプーリの回転を前記従動プーリに伝達するベルトとを備え、前記モータプーリは前記水槽に回転自在に支持されたことを特徴とする。【選択図】図２
2013128634.tif 000002
【特許請求の範囲】
【請求項１】
筐体と、洗濯物を投入する回転ドラムと、前記回転ドラムを収容するとともに前記筐体から弾性支持機構により支持された水槽と、前記水槽の外部に緩衝材を介して固定したモータと、洗浄工程、すすぎ工程、脱水工程、乾燥工程などの一連の工程の制御および前記モータの回転を制御する制御手段と、前記モータのモータ軸に緩衝材を介して固定されたモータプーリと、前記水槽に回転自在に支持され、前記回転ドラムが一端に固定され、他端に従動プーリが固定された回転軸と、前記モータプーリの回転を前記従動プーリに伝達するベルトとを備え、前記モータプーリは前記水槽にモータプーリ支持部により回転自在に支持されたことを特徴とする洗濯機。
【発明の詳細な説明】
【技術分野】
【０００１】
本発明は、回転ドラムをベルトを介してモータで回転させるベルト伝達式の洗濯機に関するものである。
【背景技術】
【０００２】
従来、回転ドラムをベルトを介してモータで回転させるベルト伝達式の洗濯機は、水槽に固定されたモータの回転を回転ドラムの回転軸に設けられた従動プーリに伝達するため、モータ側のモータプーリはモータ軸に直接固定されていた（例えば、特許文献１参照）。
【０００３】
図３と図４は従来の洗濯機を示したもので、以下その構成について説明する。洗濯機の本体３１は、弾性支持機構（図示せず）により水槽３２をその内部に防振支持している。回転ドラム３３は側壁に脱水孔４１と攪拌突起３６を有している。水槽３２の背面の中央に回転自在に支持された回転軸３５は、回転ドラムが一端に固定され、他端に従動プーリ３７が固定されている。
【０００４】
水槽３２の外底部にはモータ２０が緩衝材を介して固定され、モータ２０の回転を従動プーリ３７に伝達するためにベルト３８が備えられて、一方は従動プーリ３７に、他方はモータ軸３９に直接固定されたモータプーリ４３に掛けられている。
【０００５】
回転ドラム３３内に投入された洗濯物を洗濯や脱水等の工程を実行する際には、制御手段３４によってモータ２０は回転駆動を制御され、その回転をベルト３８を介して従動プーリ３７に伝達し、それにより従動プーリ３７に固定された回転軸３５と、回転軸３５に固定された回転ドラム３３が回転する。洗濯時には、回転ドラム３３の回転により洗濯水が浸透した衣類を攪拌突起３６により持ち上げ、自重により落下した機械力により衣類を揉むようにして洗濯し、脱水時は、回転ドラム３３の高速回転による遠心力で洗濯物を回転ドラムの内壁に貼り付け、洗濯水を脱水孔４１から水槽３２内に吹き飛ばして脱水を行う。
【先行技術文献】
【特許文献】
【０００６】
【特許文献１】特開２００９−７８０５６号公報
【発明の概要】
【発明が解決しようとする課題】
【０００７】
しかしながら、このような従来の洗濯機の構成であれば、モータからの振動が水槽と回転ドラムに伝わり、騒音が発生する。また、モータの振動を水槽と回転ドラムに伝達させないためにゴム等の緩衝材を介してモータを水槽に固定すると、図４に示すようにベルトの張力によりモータが従動プーリ側に傾き、従動プーリとモータプーリの平行度がなくなり、ベルトが偏磨耗したり、騒音が発生したりする。
【０００８】
本発明は、上記従来の課題を解決するもので、洗濯機において、モータの振動が水槽や回転ドラムに伝達することを防止し、モータがベルト張力によって傾くことにより従動プーリとモータプーリの平行度がなくなることを防止することを目的としている。
【課題を解決するための手段】
【０００９】
本発明は上記目的を達成するために、筐体と、洗濯物を投入する回転ドラムと、前記回
転ドラムを収容するとともに前記筐体から弾性支持機構により支持された水槽と、前記水槽の外部に緩衝材を介して固定したモータと、洗浄工程、すすぎ工程、脱水工程、乾燥工程などの一連の工程の制御および前記モータの回転を制御する制御手段と、前記モータのモータ軸に緩衝材を介して固定されたモータプーリと、前記水槽に回転自在に支持され、前記回転ドラムが一端に固定され、他端に従動プーリが固定された回転軸と、前記モータプーリの回転を前記従動プーリに伝達するベルトとを備え、前記モータプーリは前記水槽にモータプーリ支持部により回転自在に支持されたことを特徴とする洗濯機である。
【００１０】
これにより、モータの振動が水槽や回転ドラムに伝達し、騒音が発生することを防止し、モータが傾くことにより従動プーリとモータプーリの平行度がなくなることでベルトが偏磨耗して騒音が発生することを防止するものである。
【発明の効果】
【００１１】
本発明の洗濯機は、モータが回転駆動される際に、モータの振動が水槽あるいは回転ドラムに伝達することで騒音が発生することを防止し、モータがベルト張力により傾くことで、ベルトが偏磨耗したり、騒音が発生したりすることを防止することができる。
【図面の簡単な説明】
【００１２】
【図１】本発明の実施の形態１の洗濯機の側断面図
【図２】（ａ）同洗濯機のモータとモータプーリ取付構造を示す側面図（ｂ）モータ取付部を示す要部側断面図（ｃ）モータプーリ取付部を示す要部側断面図
【図３】従来の洗濯機の側断面図
【図４】従来の洗濯機のベルト張力によるモータの傾きを示す図
【発明を実施するための形態】
【００１３】
第１の発明は、筐体と、洗濯物を投入する回転ドラムと、前記回転ドラムを収容するとともに前記筐体から弾性支持機構により支持された水槽と、前記水槽の外部に緩衝材を介して固定したモータと、洗浄工程、すすぎ工程、脱水工程、乾燥工程などの一連の工程の制御および前記モータの回転を制御する制御手段と、前記モータのモータ軸に緩衝材を介して固定されたモータプーリと、前記水槽に回転自在に支持され、前記回転ドラムが一端に固定され、他端に従動プーリが固定された回転軸と、前記モータプーリの回転を前記従動プーリに伝達するベルトとを備え、前記モータプーリは前記水槽にモータプーリ支持部により回転自在に支持されたことを特徴とする洗濯機である。この構成により、モータからの振動が水槽と回転ドラムに伝わり、騒音が発生することを防止し、ベルトの張力によりモータが従動プーリ側に傾き、従動プーリとモータプーリの平行度がなくなり、ベルトが偏磨耗したり、騒音が発生したりすることを防止することができる。
【００１４】
以下、本発明の実施の形態について、図面を参照しながら説明する。なお、この実施の形態によって本発明が限定されるものではない。
【００１５】
（実施の形態１）
図１は本発明の実施の形態１における洗濯機の側断面図、図２（ａ）はモータとモータプーリの取付構造を示す側面図、図２（ｂ）はモータ取付部を示す要部側断面図、図２（ｃ）はモータプーリ取付部を示す要部側断面図である。
【００１６】
図１と図２において、洗濯機の筐体１は、洗濯物が投入される回転ドラム２を収容するとともにサスペンション３により防振支持された水槽４を収容している。水槽４の背面の中央に回転自在に支持された回転軸７は、回転ドラム２が一端に固定され、他端に従動プーリ８が固定されている。水槽の外底部には、ゴム等の緩衝材１０Ａを挟んでモータ５が固定されている。これによって、モータ５の回転駆動による振動は緩衝材１０Ａにより減
衰され、モータ取り付け部から水槽に伝達することを防止する構造としている。
【００１７】
モータ５の回転を伝達するベルト６は、所定の張力を有してモータプーリ９と従動プーリ８に掛けられている。
モータプーリ９は、モータ５のモータ軸５ａに、ゴム等の緩衝材１０Ｂを挟んで固定されている。これによって、モータ５の回転駆動による振動は緩衝材１０Ｂにより減衰され、モータ軸５ａからモータプーリ９、そして水槽４に伝達して騒音が発生することを防止することができる。
【００１８】
制御手段１３は、回転ドラム２内に投入された洗濯物を洗濯する洗浄工程、すすぎ工程、脱水工程、乾燥工程などの一連の工程を制御する。モータ５は制御手段１３によって回転駆動を制御され、その回転をモータプーリ９とベルト６を介して従動プーリ８に伝達し、それにより従動プーリ８に固定された回転軸７と、回転軸７に固定された回転ドラム２が回転する。
図２において、モータプーリ９は円筒形状をしており、ベアリング１１を介して水槽４の外底部に形成されたモータプーリ支持部１２に回転自在に取り付けられている。これによりモータプーリ９はモータプーリ支持部１２によって水槽４に支持されているため、図４に示す従来の洗濯機のモータように、ベルト６の張力によってモータ５に応力がかかり、取り付け部の緩衝材１０Ａが圧縮されてモータが傾くことを防ぐことができる。すなわち、従動プーリ８とモータプーリ９の平行度がなくなるようなことがなく、ベルト６が偏磨耗したり、騒音が発生したりすることを防止することができる。
【産業上の利用可能性】
【００１９】
以上のように、本発明は、モータが回転駆動される際に、モータの振動が水槽あるいは回転ドラムに伝達することで騒音が発生することを防止し、モータがベルト張力により傾くことで騒音が発生することを防止することが可能となるので、洗濯機等への用途として有用である。
【符号の説明】
【００２０】
１  筐体
２  回転ドラム
３  サスペンション
４  水槽
５  モータ
５ａ  モータ軸
６  ベルト
７  回転軸
８  従動プーリ
９  モータプーリ
１０Ａ、１０Ｂ  緩衝材
１１  ベアリング
１２  モータプーリ支持部
【図１】
2013128634.tif 000003
【図２】
2013128634.tif 000004
【図３】
2013128634.tif 000005
【図４】
2013128634.tif 000006